(57)【特許請求の範囲】
【請求項１】
管体と、
前記管体の内側に開口する内側開口端、及び、前記管体の外側に開口する外側開口端を有する音孔を構成する音孔構成部と、を備え、
前記音孔構成部が、前記音孔の軸方向長さを変えずに前記音孔の外側開口端を内側開口端に対して移動可能とする可動部を有する管楽器。
【請求項２】
前記音孔構成部が、前記管体の外周から延びて形成される音孔管を備え、
前記音孔管は、該音孔管の軸方向に配列されると共に相互に連結される複数の分割管部を備え、
複数の分割管部のうち少なくとも一つは、前記音孔の軸線が湾曲する湾曲管部であり、
前記可動部は、前記湾曲管部と該湾曲管部よりも前記管体側に位置する別の分割管部とが、前記音孔の軸線を中心として互いに回転可能に連結されている構造を含む請求項１に記載の管楽器。
【請求項３】
前記音孔構成部が、前記管体の外周から延びて形成される音孔管を備え、
前記音孔管は、前記音孔の軸線が湾曲する湾曲管部を有し、
前記可動部は、前記音孔管が前記管体に対して回転可能に連結されている構造を含む請
求項１又は請求項２に記載の管楽器。
【請求項４】
前記音孔構成部が、前記管体の管壁に形成された貫通孔を塞ぐ音孔付蓋部材を備え、
前記可動部は、前記音孔付蓋部材が前記管体の径方向を回転軸線として前記管体に対して回転可能とされた構造、及び、前記音孔付蓋部材に形成された前記音孔の軸線が、前記内側開口端において前記回転軸線に一致し、前記外側開口端において前記回転軸線から離れて位置している構造を含む請求項１から請求項３のいずれか一項に記載の管楽器。
【発明の詳細な説明】
【技術分野】
【０００１】
本発明は、管楽器に関する。
【背景技術】
【０００２】
管楽器には、例えば非特許文献１に示すリコーダー等のように、主に演奏者の手指で音孔を直接開閉する種類のものがある。この種の管楽器は、サックス等のように多くの音孔をキーによって開閉する管楽器と比較して、構造が簡素であり、また、安価である、という利点がある。
非特許文献１に開示されているリコーダーでは、管体が、音孔を有する二つの管体部（中部管、足部管）を、管体の軸線を中心に互いに回転自在に連結することで構成されている。この構成では、一方の管体部（中部管）の音孔に対して、他方の管体部（足部管）の音孔を管体の周方向に移動させることができる。
【先行技術文献】
【非特許文献】
【０００３】
【非特許文献１】「Ｒｅｃｏｒｄｅｒｓ」、株式会社ヤマハミュージックジャパン、２０１４年１２月
【発明の概要】
【発明が解決しようとする課題】
【０００４】
リコーダー等のように主に手指で操作する従来の管楽器では、音孔が管体に形成されているが、手指の大きさや長さは演奏者毎に異なる。このため、演奏者は、一部の音孔を塞ぎにくい、すなわち、管楽器を操作し難い場合がある。
非特許文献１に開示されているリコーダーでは、一部の音孔を相対的に移動させることはできるものの、音孔の相対的な移動方向が管体の周方向に限られる。このため、管楽器の操作性を確保するには不十分となる場合がある。
【０００５】
本発明は、上述した事情に鑑みてなされたものであって、手指の大きさや長さが異なる様々な演奏者に対し、操作性を容易に確保できる管楽器を提供することを目的とする。
【課題を解決するための手段】
【０００６】
本発明は、管体と、前記管体の内側に開口する内側開口端、及び、前記管体の外側に開口する外側開口端を有する音孔を構成する音孔構成部と、を備え、前記音孔構成部が、前記音孔の軸方向長さを変えずに前記音孔の外側開口端を内側開口端に対して移動可能とする可動部を有する管楽器を提供する。
【発明の効果】
【０００７】
本発明によれば、演奏者の手指で塞がれる音孔の外側開口端の位置を、管体に対して従来よりも自由に変化させることができる。したがって、手指の大きさや長さが異なる様々な演奏者に対し、管楽器の操作性を容易に確保することができる。
【図面の簡単な説明】
【０００８】
【図１】本発明の第一実施形態に係る管楽器の要部を示す斜視図である。
【図２】図１の管楽器に備える一つの音孔管を示す拡大斜視図である。
【図３】図２の音孔管をＺ軸正方向側から見た正面図である。
【図４】図２の音孔管をＸ軸負方向側から見た断面図である。
【図５】図２の音孔管をＹ軸負方向側から見た側面図である。
【図６】本発明の第二実施形態に係る管楽器の要部を示す拡大斜視図である。
【図７】図６の管楽器に備える音孔付蓋部材を示す断面図である。
【発明を実施するための形態】
【０００９】
〔第一実施形態〕
以下、図１〜５を参照して本発明の第一実施形態について説明する。
図１に示すように、本実施形態の管楽器１は、管体２と、音孔構成部３と、を備える。
【００１０】
管体２は、管楽器１の共鳴管として機能するように任意に構成されてよい。管体２は、例えば円錐管状に形成されてもよいが、本実施形態では内径寸法が一定の円筒状に形成されている。また、管体２は、例えばその軸線が曲がっている部位を有してもよいが、本実施形態では、管体２の全体において管体２の軸線が管体２の長手方向（Ｘ軸方向）に真っ直ぐに延びるように形成されている。
管体２は、例えば木材材料、金属材料、樹脂材料のいずれか一つの材料によって形成されてもよいし、例えばこれらの材料を適宜組み合わせた材料によって形成されてもよい。
【００１１】
管体２の長手方向の両端には、不図示のマウスピース（吹口）とベルが配される。マウスピースの種類は、シングルリード、エアリード、リップリード、ダブルリードなど、任意であってよい。図１に例示する管楽器１において、マウスピースは管体２の長手方向の第一端部４に配される。また、ベルは管体２の長手方向の第二端部５に配される。
【００１２】
本実施形態において、管体２の長手方向は、管楽器１を演奏する演奏者から見てマウスピースからベルに向かう真っ直ぐな方向に対応する。以下の説明では、演奏者から見た左右方向を管体２の幅方向（Ｙ軸方向）と呼び、演奏者から見た上下方向を管体２の高さ方向（Ｚ軸方向）と呼ぶことがある。
【００１３】
音孔構成部３は、管楽器１の音孔を構成する。音孔は、管体２の内側に開口する内側開口端７Ａ（図２等参照）、及び、管体２の外側に開口する外側開口端７Ｂを有する。本実施形態の音孔構成部３は、管体２の外周から延びて形成される音孔管６である。音孔管６の内部空間が管楽器１の音孔をなす。音孔管６は、内径寸法が一定の円筒状に形成されている。
以下の説明では、音孔の内側開口端７Ａや外側開口端７Ｂ、軸線を音孔管６の構成として呼ぶことがある。
【００１４】
音孔管６は、管体２の軸方向に間隔をあけて複数配列されている。
管体２の軸方向における各音孔管６の内側開口端７Ａの位置（軸方向位置）は、管楽器１の音程を考慮して設定されている。各音孔管６の内径寸法や軸方向長さは、管楽器１の音程や発音（例えば音量や音質など）を考慮して個別に設定されている。すなわち、複数の音孔管６には、音孔管６の内径寸法や軸方向長さが互いに異なっているものがある。また、各音孔管６の内径寸法は、演奏者の手指で音孔管６の外側開口端７Ｂを塞ぐことが可能な大きさに設定されている。
【００１５】
管体２の周方向における複数の音孔管６の内側開口端７Ａの相対的な位置、各音孔管６を曲げるか否か、音孔管６の曲がり形状などは、任意に設定されてよい。本実施形態の管楽器１では、複数の外側開口端７Ｂが外側開口端７Ｂを塞ぐ手指に対応した位置となるように、管体２の周方向における複数の音孔管６の内側開口端７Ａの相対的な位置が設定されたり、一部の音孔管６が曲がっていたりする。
【００１６】
具体的に説明すれば、軸方向長さが比較的短い音孔管６（６Ａ，６Ｄ）については、その内側開口端７Ａが管体２の幅方向において管体２の中央に位置している。また、比較的短い音孔管６Ａ，６Ｄは、管体２から高さ方向（管体２の径方向）に真っ直ぐに延びている。
軸方向長さが比較的長い音孔管６（６Ｂ，６Ｃ，６Ｅ，６Ｆ，６Ｇ）については、その内側開口端７Ａが管体２の幅方向において管体２の中央よりも右側または左側に位置している。また、比較的長い音孔管６Ｂ，６Ｃ，６Ｅ，６Ｆ，６Ｇは、管体２から曲がりながら高さ方向に延びている。すなわち、曲がっている音孔管６Ｂ，６Ｃ，６Ｅ，６Ｆ，６Ｇは、その軸線が湾曲する湾曲管部８を有する。湾曲管部８は、音孔管６Ｂ，６Ｃ，６Ｅ，６Ｆ，６Ｇの一部を構成してもよいし、例えば音孔管６Ｂ，６Ｃ，６Ｅ，６Ｆ，６Ｇの全体を構成してもよい。
本実施形態では、上記のように音孔管６の内側開口端７Ａの位置、及び、音孔管６の曲がり形状が設定されることで、音孔管６の外側開口端７Ｂが管体２の高さ方向において管体２の上側に向けられている。
【００１７】
上記のように、管体２の周方向における複数の音孔管６の内側開口端７Ａの相対的な位置や、音孔管６の曲がりが設定されていることで、複数の音孔管６の外側開口端７Ｂの位置や向きが、管楽器１の操作性等を考慮して好適に設定されている。
【００１８】
本実施形態では、複数の音孔管６の外側開口端７Ｂが、互いに異なる手指の長さに応じて管体２の幅方向において互いにずらして位置している。具体的に説明すれば、管体２の第一端部４側から数えて１番目〜３番目の音孔管６Ａ〜６Ｃは、それぞれ演奏者の左手の人差し指、中指、薬指に対応している。これに対し、２番目の音孔管６Ｂの外側開口端７Ｂは、左手の手指のつけ根から最も離れて位置するように、１番目、３番目の音孔管６Ａ、６Ｃの外側開口端７Ｂに対して管体２の右側（図１においてＹ軸負方向側）にずらして位置している。
【００１９】
一方、管体２の第一端部４側から４番目〜７番目の音孔管６Ｄ〜６Ｇは、それぞれ演奏者の右手の人差し指、中指、薬指、小指に対応している。このため、５番目の音孔管６Ｅの外側開口端７Ｂは、右手の手指のつけ根から最も離れて位置するように、４番目、６番目、７番目の音孔管６Ｄ、６Ｆ、６Ｇの外側開口端７Ｂに対して管体２の左側（図１においてＹ軸正方向側）にずらして位置している。また、図１に例示する状態において、７番目の音孔管６Ｇの外側開口端７Ｂは、右手の手指のつけ根から最も近くに位置するように、４番目〜６番目の音孔管６Ｄ〜６Ｆの外側開口端７Ｂに対して管体２の右側（図１においてＹ軸負方向側）にずらして位置している。
【００２０】
本実施形態の管楽器１において、音孔管６は、図２〜５に例示するように、音孔管６（音孔）の軸方向長さを変えずに外側開口端７Ｂを内側開口端７Ａに対して移動可能とする可動部２０を有する。本実施形態では、７番目の音孔管６Ｇが可動部２０を有している。以下、可動部２０の具体的な構造について説明する。
【００２１】
図２〜５に示すように、７番目の音孔管６Ｇは、音孔管６Ｇの軸方向に配列されると共に相互に連結される複数の分割管部１０を備える。音孔管６Ｇにおける分割管部１０の数は三つである。本実施形態において、音孔管６Ｇを構成する分割管部１０は全て前述した湾曲管部８である。各湾曲管部８において音孔管６Ｇの軸線が曲げられる角度は任意であってよいが、本実施形態では９０度となっている。
【００２２】
音孔管６Ｇの各湾曲管部８は、例えば音孔管６Ｇの軸線が湾曲する部位（湾曲部位）のみ有してもよいし、例えば湾曲部位に加え、直線状に延びる部位（直線部位）も有してよい。本実施形態において、管体２側から数えて１番目、２番目の湾曲管部８Ａ，８Ｂは、湾曲部位のみを有する。一方、３番目の湾曲管部８Ｃは、湾曲部位、直線部位の両方を有する。３番目の湾曲管部８Ｃの直線部位は、湾曲部位に対して２番目の湾曲管部８Ｂ側に位置している。
上記した７番目の音孔管６Ｇのうち、管体２側の端部における音孔管６Ｇの軸線は、管体２の径方向に延びている、また、管体２の幅方向に延びている。
【００２３】
そして、本実施形態の可動部２０は、これら複数の湾曲管部８が音孔管６Ｇの軸線を中心として互いに回転可能に連結されている構造２１（以下、中途部回転構造２１と呼ぶ。）を含む。本実施形態においては、互いに隣り合う湾曲管部８が、これらの連結部分における音孔管６Ｇの軸線を中心として相互に回転可能である。具体的には、図３に示すように、１番目の湾曲管部８Ａと２番目の湾曲管部８Ｂとが、これらの連結部分における音孔管６Ｇの軸線Ａ２を中心として互いに回転可能となっている。また、図４に示すように、２番目の湾曲管部８Ｂと３番目の湾曲管部８Ｃとが、これらの連結部分における音孔管６Ｇの軸線Ａ３を中心として互いに回転可能となっている。すなわち、本実施形態の可動部２０は、複数の中途部回転構造２１を含む。
【００２４】
また、本実施形態の可動部２０は、音孔管６Ｇが管体２に対して回転可能に連結されている構造２２（以下、基端部回転構造２２と呼ぶ。）を含む。本実施形態において、音孔管６Ｇは、図５に示すように、管体２の径方向（管体２側の端部における音孔管６Ｇの軸線Ａ１）を中心として回転可能である。
【００２５】
本実施形態では、上記のように可動部２０が構成されることで、音孔管６Ｇの外側開口端７Ｂが、音孔管６Ｇ（音孔）の軸方向長さを変えずに内側開口端７Ａに対して移動可能となっている。以下、音孔管６Ｇの外側開口端７Ｂの移動について具体的に説明する。
【００２６】
例えば図２，３に示すように、１番目の湾曲管部８Ａと２番目の湾曲管部８Ｂとの連結部分における音孔管６Ｇの軸線Ａ２が管体２の高さ方向に延びている状態において、２番目の湾曲管部８Ｂを１番目の湾曲管部８Ａに対して回転させる。この場合、音孔管６Ｇの外側開口端７Ｂは、内側開口端７Ａに対して、管体２の幅方向や軸方向に移動する。
【００２７】
例えば図２，４に示すように、２番目の湾曲管部８Ｂと３番目の湾曲管部８Ｃとの連結部分における音孔管６Ｇの軸線Ａ３が管体２の長手方向に延びている状態において、３番目の湾曲管部８Ｃを２番目の湾曲管部８Ｂに対して回転させる。この場合、音孔管６Ｇの外側開口端７Ｂが、内側開口端７Ａに対して、管体２の幅方向に移動する。また、内側開口端７Ａに対する外側開口端７Ｂの向きも変化する。
【００２８】
また、例えば図２，５に示すように、管体２側の端部における音孔管６Ｇの軸線Ａ１を中心として音孔管６Ｇを管体２に対して回転させると、音孔管６Ｇの外側開口端７Ｂが、内側開口端７Ａに対して、管体２の高さ方向や軸方向に移動する。また、内側開口端７Ａに対する外側開口端７Ｂの向きも変化する。
【００２９】
以上説明したように、本実施形態の管楽器１によれば、演奏者の手指で塞がれる音孔管６の外側開口端７Ｂの位置を、管体２に対して従来よりも自由に変化させることができる。具体的には、可動部２０が中途部回転構造２１や、基端部回転構造２２を含むことで、音孔管６の外側開口端７Ｂを、管体２の周方向に限らず、管体２の軸方向や、高さ方向、幅方向に自由に移動させることができる。また、音孔管６の外側開口端７Ｂの向きも変化させることができる。したがって、手指の大きさや長さが異なる様々な演奏者に対し、管楽器１の操作性を容易に確保することができる。
【００３０】
また、本実施形態の管楽器１によれば、音孔管６の軸方向長さや内径寸法、音孔管６の内側開口端７Ａの軸方向位置を変えることなく、音孔管６の外側開口端７Ｂの位置を移動させることができる。このため、管楽器１の音程や発音に影響を与えることなく、管楽器の操作性を確保することができる。
【００３１】
また、本実施形態の管楽器１によれば、可動部２０が、複数の中途部回転構造２１を含んでいたり、中途部回転構造２１及び基端部回転構造２２の両方を含んでいたりする。これにより、内側開口端７Ａに対する外側開口端７Ｂの移動方向が複数となるため、外側開口端７Ｂの配置自由度を向上させることができる。
【００３２】
〔第二実施形態〕
次に、図６，７を参照して本発明の第二実施形態について説明する。本実施形態では、第一実施形態と同様の構成要素について同一符号を付す等して、その説明を省略する。
【００３３】
図６，７に示すように、本実施形態の管楽器１Ａは、第一実施形態と同様の管体２を備える。また、本実施形態の管楽器１Ａは、第一実施形態と同様に、管体２の内側に開口する内側開口端７Ａ、及び、管体２の外側に開口する音孔７を構成する音孔構成部３Ａを備える。また、本実施形態の音孔構成部３Ａは、第一実施形態と同様に、音孔７の軸方向長さを変えずに音孔７の外側開口端７Ｂを内側開口端７Ａに対して移動可能とする可動部２０Ａを備える。
【００３４】
ただし、本実施形態において、音孔構成部３Ａは、管体２の管壁に形成された貫通孔３１を塞ぐ音孔付蓋部材３２である。また、可動部２０Ａは、音孔付蓋部材３２が管体２の径方向を回転軸線Ｒ１として管体２に対して回転可能とされた構造を含む。また、可動部２０Ａは、音孔付蓋部材３２に形成された音孔７の軸線Ａ４が、内側開口端７Ａにおいて回転軸線Ｒ１に一致し、外側開口端７Ｂにおいて回転軸線Ｒ１から離れて位置している構造を含む。以下、これらの構成について具体的に説明する。
【００３５】
管体２の貫通孔３１は、管壁を管体２の径方向に貫通して形成されている。貫通孔３１は、管体２の径方向から見て円形に形成されている。音孔付蓋部材３２は、管体２の径方向から見て貫通孔３１に対応する円形に形成されている。これにより、音孔付蓋部材３２は、管体２の径方向を回転軸線Ｒ１として管体２に対して回転可能とされている。
【００３６】
音孔付蓋部材３２は、管体２の内側に抜け落ちないように構成されている。すなわち、音孔付蓋部材３２は、管体２の外側から貫通孔３１に挿入された状態で管体２の外側から管体２に当接する係止部３３を有する。係止部３３は、音孔付蓋部材３２の他の部位の外周から突出して形成されている。係止部３３は、例えば管体２の外周面３４に当接してもよいが、本実施形態では貫通孔３１の内周に形成され、管体２の径方向において管体２の外側に向く段差面３５に当接する。
【００３７】
音孔付蓋部材３２が管体２の貫通孔３１を塞いだ状態では、例えば音孔付蓋部材３２全体が貫通孔３１内に位置してもよいが、本実施形態では音孔付蓋部材３２の一部が管体２の外側に突出している。
具体的に説明すれば、音孔付蓋部材３２は、管体２の周方向における貫通孔３１の中間位置の両側において管体２の外側に突出している。これは、管体２の外側に向く音孔付蓋部材３２の軸方向の端面３６が平坦であるのに対し、管体２の外周面３４が湾曲していることに起因する。
【００３８】
音孔付蓋部材３２に形成された音孔７の内径寸法は一定である。音孔７の内側開口端７Ａと外側開口端７Ｂとは、少なくとも音孔付蓋部材３２を管体２の径方向から見て、互いにずれて位置していればよい。このため、音孔７の軸線Ａ４は、例えば湾曲していてもよいが、本実施形態では、内側開口端７Ａにおいて回転軸線Ｒ１に交差するように回転軸線Ｒ１に対して傾斜している。すなわち、音孔７が管体２の径方向に対して斜めに延びている。図示例において、音孔７の外側開口端７Ｂは、回転軸線Ｒ１が通らない位置に形成されているが、例えば回転軸線Ｒ１が通る位置に形成されてもよい。
【００３９】
本実施形態では上記のように可動部２０Ａが構成されることで、音孔７の外側開口端７Ｂが、音孔７の軸方向長さを変えずに内側開口端７Ａに対して移動可能となっている。以下、音孔７の外側開口端７Ｂの移動について具体的に説明する。
【００４０】
音孔付蓋部材３２に形成された音孔７の軸線Ａ４は、内側開口端７Ａにおいて回転軸線Ｒ１に一致している。このため、音孔付蓋部材３２が回転軸線Ｒ１を中心として回転しても、音孔７の内側開口端７Ａは管体２に対して移動しない。
一方、音孔７の軸線Ａ４は、外側開口端７Ｂにおいて回転軸線Ｒ１から離れて位置している。このため、音孔付蓋部材３２が回転軸線Ｒ１を中心として回転すると、音孔７の外側開口端７Ｂは、回転軸線Ｒ１を中心として貫通孔３１や音孔付蓋部材３２の周方向に移動する。すなわち、音孔７の外側開口端７Ｂは、管体２の幅方向（Ｙ軸方向）や軸方向（Ｘ軸方向）に移動する。
【００４１】
本実施形態の管楽器１Ａによれば、第一実施形態と同様の効果を奏する。
また、本実施形態の管楽器１Ａによれば、音孔７を概ね管体２の管壁内に位置させることができる。言い換えれば、管体２の外側に突出する音孔構成部３Ａの突出長さを短く設定できる。したがって、従来のリコーダーのような管楽器に近い外観を有しながら、様々な演奏者に対して管楽器１Ａの操作性を確保することができる。
【００４２】
上記した第二実施形態の構成は、例えば第一実施形態の管楽器１にも適用可能である。例えば第二実施形態の音孔付蓋部材３２に、第一実施形態の音孔管６（６Ｇ）が連結されてもよい。
【００４３】
以上、本発明について詳細に説明したが、本発明は上記実施形態に限定されるものではなく、本発明の趣旨を逸脱しない範囲において種々の変更を加えることが可能である。
【００４４】
第一実施形態の管楽器１において、可動部２０は、例えば、中途部回転構造２１及び基端部回転構造２２のいずれか一方のみを含んでもよい。
【００４５】
第一実施形態の管楽器１において、可動部２０が中途部回転構造２１を含む場合、相互に回転可能に連結される二つの分割管部１０のうち、少なくとも管体２から離れて位置する分割管部１０が、湾曲管部８であればよい。すなわち、これら二つの分割管部１０のうち湾曲管部８よりも管体２側に位置する分割管部１０（別の分割管部）は、例えば音孔管６の軸線が直線状に延びる直線管部であってもよい。このような構成であっても、二つの分割管部１０を相互に回転させることで、音孔管６の外側開口端７Ｂを内側開口端７Ａに対して移動させることができる。
【００４６】
第一実施形態の管楽器１において、可動部２０が基端部回転構造２２を含む場合、音孔管６は少なくとも一つの湾曲管部８を有していればよく、音孔管６の他の構成や形状については任意であってよい。
【００４７】
第一実施形態の管楽器１において、音孔管６や分割管部１０は、例えば湾曲管部８に変えて斜行管部とされてもよい。斜行管部とは、例えば管体２と音孔管６との連結部分において音孔管６の軸線が管体２の径方向に対して傾斜する管部である。また、斜行管部とは、例えば斜行管部と斜行管部よりも管体２側に位置する別の分割管部１０との連結部分において別の分割管部１０の軸線に対して傾斜する管部である。このような構成であっても、上記実施形態と同様の効果を奏する。
【００４８】
第一実施形態の管楽器１において、可動部２０は、例えば音孔管６の少なくとも一部が湾曲自在である構造（湾曲自在構造）を含んでもよい。湾曲自在構造は、例えばフレキシブルホースのように、音孔管６を任意の方向に湾曲させた際にその状態を保持する構造であってよい。このような構成であっても、上記実施形態と同様の効果を奏する。
【００４９】
また、上記した全ての実施形態において、音孔管６や音孔付蓋部材３２等の音孔構成部３，３Ａは、例えば管体２に対して着脱可能であってもよい。この場合、音孔管６に含まれる湾曲管部８や斜行管部の形状、あるいは、音孔付蓋部材３２の音孔の形状が異なる様々な種類の音孔構成部３，３Ａを用意し、個々の演奏者に適切な音孔構成部３，３Ａを管体２に装着すればよい。このような構成では、音孔構成部３，３Ａが上記実施形態のような可動部２０，２０Ａを有さなくても、手指の大きさや長さが異なる様々な演奏者に対し、管楽器の操作性を容易に確保することができる。
【００５０】
したがって、本発明の管楽器は、少なくとも音孔の軸方向長さや内径寸法を変えることなく、音孔の外側開口端の位置を内側開口端に対して変化させることが可能な構成を備えていればよく、その他の構成については任意であってよい。
【００５１】
また、本発明の管楽器は、全ての音孔が手指で直接開閉されるタイプの管楽器に限らず、例えば、一部の音孔が手指で直接開閉され、残りの音孔が鍵機構（キーシステム）を利用して開閉される管楽器にも適用可能である。
【符号の説明】
【００５２】
１，１Ａ…管楽器、２…管体、３，３Ａ…音孔構成部、６，６Ａ，６Ｂ，６Ｃ，６Ｄ，６Ｅ，６Ｆ，６Ｇ…音孔管、７…音孔、７Ａ…内側開口端、７Ｂ…外側開口端、８，８Ａ，８Ｂ，８Ｃ…湾曲管部、１０…分割管部、２０，２０Ａ…可動部、２１…中途部回転構造、２２…基端部回転構造、３１…貫通孔、３２…音孔付蓋部材、Ａ１，Ａ２，Ａ３…音孔管（音孔）の軸線、Ａ４…音孔の軸線、Ｒ１…回転軸線
【図１】
0006657793.tif 000002
【図２】
0006657793.tif 000003
【図３】
0006657793.tif 000004
【図４】
0006657793.tif 000005
【図５】
0006657793.tif 000006
【図６】
0006657793.tif 000007
【図７】
0006657793.tif 000008